(57)【要約】【課題】  操作者に第一スイッチ又は第二スイッチに係るスイッチ操作条件を認識させて、表示画面の画面遷移に必要なスイッチ操作を行わせる際に有効な表示方法となる、ハイアラーキ構成の表示装置における表示方法を提供する。【解決手段】  表示画面６に出力表示し操作者に表示内容を認識させるための、第一スイッチ４又は第二スイッチ５のそれぞれのスイッチ操作条件９に対応して表示内容を順次切り換える操作条件情報１０を、スイッチ操作の各操作毎に特定されるスイッチ操作条件９の違いに応じて表示画面６の表示内容をスイッチ操作を行う操作者が表示位置情報として認識できるスイッチ操作の各操作毎に予め設定された異なる表示位置に表示し，操作条件情報１０に応じた操作条件情報１０毎に異なる操作者によって指示される表示認識内容を表示画面に表示する。【選択図】  図１
2010176689.tif 000002
【特許請求の範囲】
【請求項１】
表示画面と、該表示画面の外部に存在する第一スイッチ及び第二スイッチとを備えるとともに、前記表示画面の表示内容が階層的に変化するハイアラーキ構成の表示装置における表示方法において，
前記表示画面に出力表示して該表示画面に表示された表示内容を階層的に変化させるために必要なスイッチ操作条件を操作者に認識させるためのもので、前記第一スイッチ又は第二スイッチを操作することによって該第一スイッチ又は第二スイッチのそれぞれが備えているスイッチ操作条件に対応して前記表示画面に表示された表示内容を順次切り換える操作条件情報を、前記第一スイッチ又は第二スイッチのそれぞれのスイッチ操作の各操作毎に特定されるスイッチ操作条件の違いに応じて前記表示画面の表示内容を該スイッチ操作を行う操作者が表示位置情報として認識できる該スイッチ操作の各操作毎に予め設定された異なる表示位置に表示し，
かつ、前記操作条件情報に応じた該操作条件情報毎に異なる操作者によって指示される表示認識内容を表示画面に表示する
ことを特徴とするハイアラーキ構成の表示装置における表示方法。
【請求項２】
請求項１に記載のハイアラーキ構成の表示装置における表示方法において，
前記スイッチ操作条件は，
前記操作者が前記表示画面に出力表示する表示内容を階層的に変化させるために操作するスイッチ及びその操作方法を示すものである
ことを特徴とするハイアラーキ構成の表示装置における表示方法。
【発明の詳細な説明】
【技術分野】
【０００１】
本発明は、表示画面と、この表示画面の外部に存在する第一スイッチ及び第二スイッチとを備える表示装置の表示方法に関し、詳しくは、表示画面の表示内容が階層的に変化するハイアラーキ構成の表示装置における表示方法に関する。
【背景技術】
【０００２】
表示画面の表示内容が階層的に変化するハイアラーキ構成の表示装置としては、下記特許文献１や下記特許文献２に開示されたものが知られている。下記特許文献１に開示された表示装置においては、画面表示を切り換えるために、上下方向のカーソルキー（スイッチ）が二つ、選択用のファンクションキー（スイッチ）が四つ、表示画面の外部に設けられている。
【０００３】
下記特許文献１に開示された表示装置は、上記からも分かるように数多くのスイッチを有することから、基本モード内でサイクル的に別モードへの切替選択が容易にできるようになっている。また、別モードへ切り換えた後にも、この切り換えた別モード内でサイクル的に切替選択が容易にできるようになっている。
【０００４】
一方、下記特許文献２に開示された表示装置においては、上記の例と異なり、スイッチが一つのみ設けられている。下記特許文献２に開示された表示装置は、基本モード内でサイクル的に別モードへ切替選択をするために、また、別モードへ切り換えた後にこの別モード内でサイクル的に切替選択をするために、スイッチのオン継続時間を利用するような構成になっている。
【０００５】
このスイッチのオン継続時間の利用に関して簡単に説明すると、例えば、スイッチのオン継続時間が５秒以上か否かが表示装置の制御部で判断される。そして、５秒以上であると判断されると、別モードの表示に切り換えられ、５秒以内であると判断されると、同一モード内の次の切替選択に変わるようになっている。
【０００６】
尚、下記特許文献２に開示された表示装置は、スイッチ操作の処理状況を操作者に的確に伝えないと、例えば意に反して別モードの表示に切り替わってしまうことから、スイッチ操作がなされたことと、別モードへ切り替わるまでの時間があとどれくらいかを操作者に認識させることができるようになっている（スイッチ操作の処理状況を認識させることができるようになっている）。
【先行技術文献】
【特許文献】
【０００７】
【特許文献１】特開平５−１８２０９０号公報
【特許文献２】特開２００５−１０４５１号公報
【発明の概要】
【発明が解決しようとする課題】
【０００８】
表示装置は、多くのスイッチを有することによって、ハイアラーキ構成で切替項目が多い場合の操作性に効果を奏する反面、製造コストに影響を来してしまうという問題点を有している。これは、スイッチが比較的高価なものであり、一つ増える毎にコストアップにつながってしまうという理由からである。
【０００９】
一方、スイッチが一つの場合においては、コスト面で良好なものの、切替項目が多くなると操作性に影響を来してしまうという問題点を有している。これは、スイッチのオン継続が所定時間以上か否かで判断するのに限界があるという理由からである。また、スイッチが一つの場合においては、何らかの要因でスイッチのオンが継続されると（例えば物がぶつかったままとなりスイッチのオンが継続されると）、操作者等が気が付くまで切替選択が繰り返されたり別モードへの切替が繰り返されたりしてしまうという問題点を有している。
【００１０】
このような事情に鑑みて本願発明者は、第一スイッチ及び第二スイッチ（二つのスイッチ）を有する表示装置で上記の問題点を解消することができないかと考えている。また、本願発明者は、操作者に第一スイッチ又は第二スイッチに係るスイッチ操作条件を認識させて、表示画面の画面遷移に必要なスイッチ操作を行わせることができないかと考えている。
【００１１】
本発明は、操作者に第一スイッチ又は第二スイッチに係るスイッチ操作条件を認識させて、表示画面の画面遷移に必要なスイッチ操作を行わせる際に有効な表示方法となる、ハイアラーキ構成の表示装置における表示方法を提供することを課題とする。
【課題を解決するための手段】
【００１２】
上記課題を解決するためになされた請求項１記載の本発明のハイアラーキ構成の表示装置における表示方法は、表示画面と、該表示画面の外部に存在する第一スイッチ及び第二スイッチとを備えるとともに、前記表示画面の表示内容が階層的に変化するハイアラーキ構成の表示装置における表示方法において，前記表示画面に出力表示して該表示画面に表示された表示内容を階層的に変化させるために必要なスイッチ操作条件を操作者に認識させるためのもので、前記第一スイッチ又は第二スイッチを操作することによって該第一スイッチ又は第二スイッチのそれぞれが備えているスイッチ操作条件に対応して前記表示画面に表示された表示内容を順次切り換える操作条件情報を、前記第一スイッチ又は第二スイッチのそれぞれのスイッチ操作の各操作毎に特定されるスイッチ操作条件の違いに応じて前記表示画面の表示内容を該スイッチ操作を行う操作者が表示位置情報として認識できる該スイッチ操作の各操作毎に予め設定された異なる表示位置に表示し，かつ、前記操作条件情報に応じた該操作条件情報毎に異なる操作者によって指示される表示認識内容を表示画面に表示することを特徴としている。
【００１３】
このような特徴を有する本発明によれば、表示位置によって操作者が必然的に操作すべき条件が何であるかを把握することができるようになる。また、操作者の思いこみによるスイッチ操作も避けられる。すなわち、誤操作防止ができるようになる。
【００１４】
請求項２記載の本発明のハイアラーキ構成の表示装置における表示方法は、請求項１に記載のハイアラーキ構成の表示装置における表示方法において、前記スイッチ操作条件が，前記操作者が前記表示画面に出力表示する表示内容を階層的に変化させるために操作するスイッチ及びその操作方法を示すものであることを特徴としている。
【００１５】
このような特徴を有する本発明によれば、操作者が必然的に操作すべき条件が何であるかを表示位置によって把握することができ、操作者は表示位置に表示された内容にしたがってスイッチ操作をすることができる。
【発明の効果】
【００１６】
本発明によれば、操作者に第一スイッチ又は第二スイッチに係るスイッチ操作条件を認識させて、表示画面の画面遷移に必要なスイッチ操作を行わせる際に有効となる表示方法を提供することができる。本発明は、操作性が良くコスト的にも良好なハイアラーキ構成の表示装置の提供に有用な発明になる。
【図面の簡単な説明】
【００１７】
【図１】本発明に係るハイアラーキ構成の表示装置の一実施の形態を示す図であり、（ａ）は表示装置全体図、（ｂ）は操作条件情報の反転に係る説明図、（ｃ）は操作条件情報の表示位置が異なる状態を示す説明図、（ｄ）は主要構成を示すブロック図、（ｅ）は主要処理を示すフローチャートである。
【図２】メインメニューの操作に係るフローチャートである。
【図３】サブメニューの操作に係るフローチャートである。
【図４】ゼロ点調整処理の操作に係るフローチャートである。
【図５】Ｍｏｄｅ  Ｓｅｌの操作に係るフローチャートである。
【発明を実施するための形態】
【実施例】
【００１８】
以下、図面を参照しながら説明する。
図１は本発明に係るハイアラーキ構成の表示装置の一実施の形態を示す図であり、（ａ）は表示装置全体図、（ｂ）は操作条件情報の反転に係る説明図、（ｃ）は操作条件情報の表示位置が異なる状態を示す説明図、（ｄ）は主要構成を示すブロック図、（ｅ）は主要処理を示すフローチャートである。
【００１９】
図１（ａ）において、引用符号１は本発明に係る表示装置を示している。この表示装置１は、特に図示しないが、流量計の変換器の一構成として備えられている。すなわち、流体流量の表示のために備えられている。表示装置１は、本体２と、この本体２の前面に設けられる液晶表示部３と、同じく前面に設けられる第一スイッチ４及び第二スイッチ５とを備えて構成されている。
【００２０】
表示装置１は、液晶表示部３における表示画面６の表示内容が階層的に変化するハイアラーキ構成の表示装置となるように構成されている。また、表示装置１は、操作者（図示省略）に第一スイッチ４又は第二スイッチ５に係るスイッチ操作条件（後述する）を認識させて、表示画面６の画面遷移に必要なスイッチ操作を行わせることができるような表示装置となるように構成されている。
【００２１】
表示装置１は、流量計の変換器の一構成の他に、流速計、工業計器若しくは産業用計器に適用されるＭＭＩ（マンマシンインターフェース）機能を有する装置等にも適用可能であるものとする。より具体的には、ハイアラーキ構成であって、液晶表示部３と第一スイッチ４及び第二スイッチ５とを備える表示装置であれば、上記流量計以外に適用可能であるものとする。先ず、各構成について以下に説明する。
【００２２】
本体２は、筐体７と、この筐体７の内部に収納される回路基板（図示省略）等とを備えて構成されている。回路基板には、公知のＣＰＵや記憶装置を含む制御装置部８（図１（ｄ）参照）が設けられている。制御装置部８には、第一スイッチ４及び第二スイッチ５が電気的に接続されている。また、液晶表示部３も電気的に接続されている。
【００２３】
制御装置部８は、流体流量の表示のために必要な演算処理を実行することができるように構成、プログラミングされている。また、制御装置部８は、第一スイッチ４又は第二スイッチ５のスイッチ操作を検知して所定の処理を実行することができるように構成、プログラミングされている。
【００２４】
制御装置部８は、第一スイッチ４又は第二スイッチ５のスイッチ操作条件９に係る操作条件情報１０を出力して操作者に認識させる操作条件出力手段１１と、第一スイッチ４又は第二スイッチ５の、検知したスイッチ操作がスイッチ操作条件９に一致した時にのみ作動して表示画面６の画面遷移を行う画面遷移手段１２とを有している。本形態において、操作条件出力手段１１と画面遷移手段１２とに関しては、上記ＣＰＵがこの機能を担っているものとする。操作条件出力手段１１と画面遷移手段１２はペアになっており、いずれかが欠けるようなことはなものとする（別な手段を付加することは妨げない）。
【００２５】
操作条件出力手段１１によって表示画面６に出力される操作条件情報１０は、本形態において、第一スイッチ４に対してのものとなっている（一例であるものとする。具体的な説明は省略するが、第二スイッチ５に対してでも良いものとする。また、両方のスイッチそれぞれに出力しても良いものとする）。操作条件情報１０は、スイッチ操作中に所定のタイミング（例えば１秒毎）で反転を繰り返す表示像として出力されている。反転に関しては、スイッチ操作中、図１（ｂ）に示すような状態が繰り返されるものとする。
【００２６】
操作条件情報１０には、スイッチ操作条件９が含まれている。スイッチ操作条件９は、図１（ａ）の場合に「Ｓ１」、図１（ｃ）の場合に「Ｓ３」と表示されている。「Ｓ１」、「Ｓ３」は一例であり、ここでは「Ｓ」がセレクトキー（第一スイッチ４に相当する）を意味している。また、「１」、「３」は条件に一致するための必要反転回数を意味している。スイッチ操作条件９は、操作者が一目で条件を認識できれば良いものとする。尚、スイッチ操作条件９を増やす場合には、特に図示しないが、「Ｓ２」や「Ｓ４」…を設定すればよいものとする（切替項目を多くすることができる）。
【００２７】
「Ｓ１」はセレクトキー（第一スイッチ４に相当する）により表示中の操作条件情報１０を１回反転させた時に操作を止めると、画面遷移が行われることを意味している。また、「Ｓ３」はセレクトキー（第一スイッチ４に相当する）により表示中の操作条件情報１０を３回反転させた時に操作を止めると、画面遷移が行われることを意味している。制御装置部８は、スイッチ操作を検知するとともに、この検知したスイッチ操作が必要反転回数に一致するか否かを判断し、一致した時のみに画面変遷処理を実行するようになっている（図１（ｅ）参照。Ｙが一致を示す。画面変遷処理は画面遷移手段１２により実行される）。これに対して、必要反転回数を超えている場合や満たない場合には、画面遷移は行われないようになっている。
【００２８】
操作条件情報１０は、スイッチ操作条件９の違い（「Ｓ１」、「Ｓ３」）に応じて表示位置が異なるようになっている。本形態において、「Ｓ１」の場合には、表示画面６の下部で右側に出力されるようになっている。また、「Ｓ３」の場合には、表示画面６の下部で中央に出力されるようになっている。
【００２９】
操作条件情報１０の表示位置を異ならせるのは、表示位置によって操作者が必然的に操作すべき条件が何であるかを把握することができるようになるからである。具体的に説明すると、予めスイッチ操作条件を覚えておけば、「表示画面６の右下に表示があるから反転は１回」というように即、操作すべき条件が何であるかを把握することができるようになるからである。
【００３０】
その他、操作条件情報１０の表示位置を異ならせるのは、操作者の思いこみによるスイッチ操作を避けるためでもある（誤操作防止）。具体的に説明すると、操作条件情報１０が常に同じ位置に表示される場合では、「直前のスイッチ操作条件９とまた同じであるだろう」という思いこみが生じて誤操作をしてしまう可能性があるからである。スイッチ操作条件９の違いに応じて表示位置が異なれば、操作者に対して注意を促すことができ、思いこみによるスイッチ操作が避けられるからである。
【００３１】
第一スイッチ４及び第二スイッチ５は、押しボタンスイッチのような機械的接点を有するものだけでなく、例えば、外部から近づいた磁性体或いはマグネットを検出するタイプや、光を外部に導出させておき、これを手などの障害物による反射を検出して作動するタイプのような、磁気的或いは光学的検出に基づく無接点式のものなどが挙げられるものとする。本形態においては、マグネットを近づけてスイッチ操作するようなものとなっている。無接点式のものは、防爆の必要性がある場合において特に有効である。
【００３２】
次に、図２ないし図５を参照しながら表示装置１におけるスイッチ操作例について説明する。図２はメインメニューの操作に係るフローチャート、図３はサブメニューの操作に係るフローチャート、図４はゼロ点調整処理の操作に係るフローチャート、図５はＭｏｄｅ  Ｓｅｌの操作に係るフローチャートである。尚、必要に応じて図１も参照するものとする。
【００３３】
以下の説明及び図の中で、第一スイッチ４をセレクトキー、第二スイッチ５をスクロールキーとして使用するものとする。セレクトキーは四角で囲んだ「Ｓ１」又は「Ｓ３」に相当し、スクロールキーは四角で囲んだ下向きの三角（▽）に相当するものとする。図中の長方形のボックスは表示画面６に相当するものとする（表示画面６には対応する画面が表示されている）。
【００３４】
図２において、電源を投入して表示装置１を作動させると、初期画面等が表示された後、ステップＳ１のような表示、すなわち質量流量が表示される。ステップＳ１のボックス（表示画面６）の右下には、操作条件情報１０が出力表示される。操作条件情報１０には、「Ｓ１」のスイッチ操作条件９が含まれている。ここで操作条件情報１０は、操作者がセレクトキー（第一スイッチ４）により１回反転させてスイッチ操作を止めると、画面遷移が行われることを意味している。
【００３５】
セレクトキー（第一スイッチ４）をスイッチ操作すると、操作条件情報１０の反転が開始する。そして、操作条件情報１０の反転が１回の時にちょうどスイッチ操作を止めると、サブメニューの画面表示（後述する）に切り替わる。尚、操作条件情報１０の反転が１回を超えてしまった場合には画面遷移が行われず、サブメニューの画面表示へ切り換えを希望する場合には、再度スイッチ操作を行えばよいものとする。操作条件情報１０は、スイッチ操作以外の時、所定のタイミング（例えば１秒毎）で反転を繰り返すことがないようになっている。
【００３６】
ステップＳ１の画面表示の時、スクロールキー（第二スイッチ５）をスイッチ操作（ここでは１秒間の操作としておく）すると、メインメニュー内をサイクル的に画面遷移するような処理が行われて、ステップＳ２のような表示が画面表示される（ステップＳ２の画面表示には操作条件情報１０が存在しない）。この後、スクロールキー（第二スイッチ５）を再度スイッチ操作すると、ステップＳ３のような表示が画面表示される（ステップＳ３の画面表示には操作条件情報１０が存在しない）。スクロールキー（第二スイッチ５）を再度スイッチ操作すると、ステップＳ４のような表示が画面表示される（ステップＳ４の画面表示には操作条件情報１０が存在しない）。
【００３７】
スクロールキー（第二スイッチ５）を再度スイッチ操作すると、ステップＳ５のような表示が画面表示される。すなわち、ステップＳ５の画面には、「Ｍｏｄｅ  Ｓｅｌ」が表示される。ステップＳ５の画面右下には、操作条件情報１０が出力表示される。操作条件情報１０には、「Ｓ１」のスイッチ操作条件９が含まれている。
【００３８】
ステップＳ５の画面表示の時にセレクトキー（第一スイッチ４）をスイッチ操作すると、操作条件情報１０の反転が開始する。そして、操作条件情報１０の反転が１回の時にちょうどスイッチ操作を止めると、Ｍｏｄｅ  Ｓｅｌ処理の画面表示（後述する）に切り替わる。これに対し、スクロールキー（第二スイッチ５）をスイッチ操作すると、ステップＳ１の画面表示に戻る。ステップＳ１の画面には質量流量が表示される。
【００３９】
図３において、サブメニューの画面表示に切り替わった状態では、ステップＳ１１のような表示が画面表示される。すなわち、ステップＳ１１の画面には、幾つかのサブメニューが表示される。ステップＳ１１の画面右下には、操作条件情報１０が出力表示される。操作条件情報１０には、「Ｓ１」のスイッチ操作条件９が含まれている。
【００４０】
ステップＳ１１の画面表示の時にセレクトキー（第一スイッチ４）をスイッチ操作すると、操作条件情報１０の反転が開始する。そして、操作条件情報１０の反転が１回の時にちょうどスイッチ操作を止めると、ゼロ点調整処理の画面表示（後述する）に切り替わる。これに対し、スクロールキー（第二スイッチ５）をスイッチ操作すると、ステップＳ１２のような表示が画面表示される。すなわち、「Ｅｘｉｔ」が表示される。ステップＳ１２の画面右下には、操作条件情報１０が出力表示される。操作条件情報１０には、「Ｓ１」のスイッチ操作条件９が含まれている。
【００４１】
ステップＳ１２の画面表示の時にセレクトキー（第一スイッチ４）をスイッチ操作すると、操作条件情報１０の反転が開始する。そして、操作条件情報１０の反転が１回の時にちょうどスイッチ操作を止めると、サブメニューが終了し、図２のメインメニューの画面表示に切り替わる。これに対し、スクロールキー（第二スイッチ５）をスイッチ操作すると、ステップＳ１１の画面表示に戻る。ステップＳ１１の画面には幾つかのサブメニューが表示される。
【００４２】
図４において、ゼロ点調整処理の画面表示に切り替わった状態では、ステップＳ２１のような表示が画面表示される。ステップＳ２１の画面下中央には、操作条件情報１０が出力表示される。操作条件情報１０には、「Ｓ３」のスイッチ操作条件９が含まれている。ここで操作条件情報１０は、操作者がセレクトキー（第一スイッチ４）により３回反転させてスイッチ操作を止めると、画面遷移が行われることを意味している。
【００４３】
操作条件情報１０の両側には、「ＯＫ」とリセットを意味する「Ｒｅｔ」とが表示されている。「ＯＫ」と「Ｒｅｔ」は、スクロールキー（第二スイッチ５）により選択され、反転表示がなされるようになっている。尚、操作条件情報１０が画面下中央に表示されることから、操作者はこの時点で操作条件が替わったことを認識することになる。
【００４４】
ステップＳ２１の画面表示の時にスクロールキー（第二スイッチ５）をスイッチ操作すると、ステップＳ２２のような表示が画面表示される。すなわち、「ＯＫ」から「Ｒｅｔ」へ選択の表示が切り替わる。尚、ここで再度スクロールキー（第二スイッチ５）をスイッチ操作すると、ステップＳ２１の画面表示に切り替わる。ステップＳ２２の画面下中央には、操作条件情報１０が出力表示される。操作条件情報１０には、「Ｓ３」のスイッチ操作条件９が含まれている。
【００４５】
ステップＳ２２の画面表示の時にセレクトキー（第一スイッチ４）をスイッチ操作すると、操作条件情報１０の反転が開始する。そして、操作条件情報１０の反転が３回の時にちょうどスイッチ操作を止めると、ゼロ点調整処理が終了し、図３のサブメニューの画面表示に切り替わる。
【００４６】
一方、ステップＳ２１の画面表示の時にセレクトキー（第一スイッチ４）をスイッチ操作すると、操作条件情報１０の反転が開始する。そして、操作条件情報１０の反転が３回の時にちょうどスイッチ操作を止めると、ステップＳ２３のような表示が画面表示される。このステップＳ２３の画面表示は、例えば５秒間表示された後に切り替わり、ステップＳ２４のような表示が画面表示される。
【００４７】
ステップＳ２４の画面下中央には、操作条件情報１０が出力表示される。操作条件情報１０には、「Ｓ３」のスイッチ操作条件９が含まれている。操作条件情報１０の両側には、「ＯＫ」と「Ｒｅｔ」とが表示されている。スクロールキー（第二スイッチ５）をスイッチ操作すると、ステップＳ２５のような表示が画面表示される。すなわち、「ＯＫ」から「Ｒｅｔ」へ選択の表示が切り替わる。尚、ここで再度スクロールキー（第二スイッチ５）をスイッチ操作すると、ステップＳ２４の画面表示に切り替わる。ステップＳ２５の画面下中央には、操作条件情報１０が出力表示される。操作条件情報１０には、「Ｓ３」のスイッチ操作条件９が含まれている。
【００４８】
ステップＳ２５の画面表示の時にセレクトキー（第一スイッチ４）をスイッチ操作すると、操作条件情報１０の反転が開始する。そして、操作条件情報１０の反転が３回の時にちょうどスイッチ操作を止めると、ゼロ点調整処理が終了し、図３のサブメニューの画面表示に切り替わる。
【００４９】
一方、ステップＳ２４の画面表示の時にセレクトキー（第一スイッチ４）をスイッチ操作すると、操作条件情報１０の反転が開始する。そして、操作条件情報１０の反転が３回の時にちょうどスイッチ操作を止めると、ステップＳ２６のような表示が画面表示される。
【００５０】
ステップＳ２６の画面下中央には、操作条件情報１０が出力表示される。操作条件情報１０には、「Ｓ３」のスイッチ操作条件９が含まれている。操作条件情報１０の両側には、「ＯＫ」と「Ｒｅｔ」とが表示されている。スクロールキー（第二スイッチ５）をスイッチ操作すると、ステップＳ２７のような表示が画面表示される。すなわち、「ＯＫ」から「Ｒｅｔ」へ選択の表示が切り替わる。尚、ここで再度スクロールキー（第二スイッチ５）をスイッチ操作すると、ステップＳ２６の画面表示に切り替わる。ステップＳ２７の画面下中央には、操作条件情報１０が出力表示される。操作条件情報１０には、「Ｓ３」のスイッチ操作条件９が含まれている。
【００５１】
ステップＳ２７の画面表示の時にセレクトキー（第一スイッチ４）をスイッチ操作すると、操作条件情報１０の反転が開始する。そして、操作条件情報１０の反転が３回の時にちょうどスイッチ操作を止めると、ゼロ点調整処理が終了し、図３のサブメニューの画面表示に切り替わる。
【００５２】
一方、ステップＳ２６の画面表示の時にセレクトキー（第一スイッチ４）をスイッチ操作すると、操作条件情報１０の反転が開始する。そして、操作条件情報１０の反転が３回の時にちょうどスイッチ操作を止めると、ステップＳ２８のような表示が画面表示される。このステップＳ２８の画面表示は、例えば０〜２秒間表示された後に切り替わり、ステップＳ２９のような表示が画面表示される。
【００５３】
ステップＳ２９の画面表示は、ゼロ点調整中を示しており、例えば３０秒間表示された後に切り替わり、ステップＳ３０のような表示が画面表示される。ステップＳ３０の画面表示は、例えば５秒間表示される。これによりゼロ点調整処理が完了し、図３のサブメニューの画面表示に切り替わる。
【００５４】
図５において、Ｍｏｄｅ  Ｓｅｌ処理の画面表示に切り替わった状態では、ステップＳ３１のような表示が画面表示される。すなわち、幾つかのメニューが表示され、１番目のメニュー（トータルリセット設定）が選択可能な状態になる。ステップＳ３１の画面右下には、操作条件情報１０が出力表示される。操作条件情報１０には、「Ｓ１」のスイッチ操作条件９が含まれている。
【００５５】
ステップＳ３１の画面表示の時にセレクトキー（第一スイッチ４）をスイッチ操作すると、操作条件情報１０の反転が開始する。そして、操作条件情報１０の反転が１回の時にちょうどスイッチ操作を止めると、トータルリセット設定の処理に移行し、表示画面が切り替わる（トータルリセット設定処理の説明は省略する）。
【００５６】
一方、スクロールキー（第二スイッチ５）をスイッチ操作すると、ステップＳ３２のような表示が画面表示される。すなわち、幾つかのメニューが表示され、２番目のメニュー（流量パラメータ設定）が選択可能な状態になる。ステップＳ３２の画面右下には、操作条件情報１０が出力表示される。操作条件情報１０には、「Ｓ１」のスイッチ操作条件９が含まれている。
【００５７】
ステップＳ３２の画面表示の時にセレクトキー（第一スイッチ４）をスイッチ操作すると、操作条件情報１０の反転が開始する。そして、操作条件情報１０の反転が１回の時にちょうどスイッチ操作を止めると、流量パラメータ設定の処理に移行し、表示画面が切り替わる（流量パラメータ設定の説明は省略する）。
【００５８】
一方、スクロールキー（第二スイッチ５）をスイッチ操作すると、ステップＳ３３のような表示が画面表示される。すなわち、幾つかのメニューが表示され、３番目のメニュー（アナログ出力設定）が選択可能な状態になる。ステップＳ３３の画面右下には、操作条件情報１０が出力表示される。操作条件情報１０には、「Ｓ１」のスイッチ操作条件９が含まれている。尚、ステップＳ３４〜Ｓ３６はパルス出力設定、パスワード設定、ディスプレイ設定に関する処理である。ステップＳ３３〜Ｓ３６は上述同様の処理となるため、ここでは説明を省略する。
【００５９】
ステップＳ３７の画面表示は、「Ｅｘｉｔ」であり、画面右下には、操作条件情報１０が出力表示される。操作条件情報１０には、「Ｓ１」のスイッチ操作条件９が含まれている。ステップＳ３７の画面表示の時にセレクトキー（第一スイッチ４）をスイッチ操作すると、操作条件情報１０の反転が開始する。そして、操作条件情報１０の反転が１回の時にちょうどスイッチ操作を止めると、Ｍｏｄｅ  Ｓｅｌ処理が終了し、図２のメインメニューの画面表示に切り替わる。これに対し、スクロールキー（第二スイッチ５）をスイッチ操作すると、ステップＳ３１の画面表示に戻る。
【００６０】
以上、図１ないし図５を参照しながら説明してきたように、操作者は操作条件情報１０のスイッチ操作条件９に合わせてスイッチ操作をすればよいことになる。表示装置１では、このスイッチ操作がスイッチ操作条件９に一致した時にのみ表示画面６の画面遷移が行われる。すなわち、表示画面６が切り替わる。
【００６１】
その他、本発明は本発明の主旨を変えない範囲で種々変更実施可能なことは勿論である。
【符号の説明】
【００６２】
１……………表示装置
２……………本体
３……………液晶表示部
４……………第一スイッチ
５……………第二スイッチ
６……………表示画面
７……………筐体
８……………制御装置部
９……………スイッチ操作条件
１０…………操作条件情報
１１…………操作条件出力手段
１２…………画面遷移手段
【図１】
2010176689.tif 000003
【図２】
2010176689.tif 000004
【図３】
2010176689.tif 000005
【図４】
2010176689.tif 000006
【図５】
2010176689.tif 000007